(57)【要約】【課題】分離可能の第一ケースと第二ケースからなる分離式の変形マウスを提供する。【解決手段】第一ケースはカーソル信号発生装置、第一傾斜面と第一接続部を含み、第二ケースはバッテリー、第二傾斜面と第二接続部を含む。第一接続部と第二接続部の接合により第一ケースと第二ケースを接合し、本発明の変形マウスの外観を変更させることができる。【選択図】図３
2008226220.tif 000002
【特許請求の範囲】
【請求項１】
カーソル信号発生装置と第一電気伝導部からなる第一ケースであって、前記第一ケースは第一フロントエンド部と第一バックエンド部を含んで、前記第一バックエンド部は第一傾斜面を有し、
バッテリーを収納する為で第二電気伝導部を含む第二ケースであって、前記第二ケースは第二フロントエンド部と第二バックエンド部を含んで、前記第二フロントエンド部は第二傾斜面を有し、
前記第一ケースと前記第二ケースは分離式で、前記マウスはさらに前記第一傾斜面に設置する第一接続部と前記第二傾斜面に設置する第二接続部を含み、前記第一接続部と前記第二接続部により前記第一ケースと前記第二ケースを接合してなることを特徴とする分離式の変形マウス。
【請求項２】
前記第一接続部はそれぞれ前記第一傾斜面の両端に位置する２個の金属部と前記２個の金属部の間に位置する凹溝を含み、前記第二接続部はそれぞれ前記第二傾斜面の両端に対応する前記２個の金属部箇所にある２個の磁石と、前記凹溝に対応する箇所にある突起ピンを含むことを特徴とする請求項１に記載する分離式の変形マウス。
【請求項３】
前記第一接続部はそれぞれ前記第一傾斜面の両端に位置する２個の金属部と、前記２個の金属部の間に位置する長方形の凹溝を含み、前記第二接続部はそれぞれ前記第二傾斜面の両端に対応する前記２個の金属部箇所にある２個の磁石と、前記長方形凹溝に対応する箇所にある長方形の突起ピンを含むことを特徴とする請求項１に記載する分離式の変形マウス。
【請求項４】
前記第一接続部は長方形の凹溝で、前記第二接続部は長方形のストッパーであり、前記長方形の凹溝の長さは前記長方形のストッパーより長く、前記第二電気伝導部は前記長方形のストッパーに位置することを特徴とする請求項１に記載する分離式の変形マウス。
【請求項５】
前記長方形のストッパーはさらに２箇所の広い部分と狭い部分を含み、前記狭い部分は前記２箇所の広い部分の間に位置し、前記長方形の凹溝は２箇所の広い部分と２箇所の狭い部分を含むことを特徴とする請求項４に記載する分離式の変形マウス。
【発明の詳細な説明】
【技術分野】
【０００１】
本発明は変形マウスに関し、特に分離可能な変形マウスに関する。
【背景技術】
【０００２】
近年パソコンの機能は多様化の方向で発展してきており、初期に散見されたワープロ機能の他に、今日のコンピューターは簡単な通信に常用されたり、娯楽映像音楽の手段となっている。
【０００３】
パソコンの機能が多様化するのに対応して、従来のマウスはカーソル制御機能を提供する以外にも、付加機能キーを設けて簡単な通信手段としたり映像音楽制御用のリモコンとしたりしている。
【０００４】
コンピューターがカーソル制御装置として使用される場合、ユーザーは卓上でマウスを移動させてカーソルの移動を制御している。また、マウスがリモコンとされる場合、ユーザーは掌でマウスを握り持ち、制御キーを押下して操作コマンドを入力している。
【０００５】
マウスとリモコンの二種類の使用モデルでは、ユーザーのマウスの外観についてのニーズは一様ではない。マウスが卓上を移動してカーソル移動を制御する際、掌が接触するマウスを握り持つ表面は水平な表面であってはならず、掌を支えられる力を生み出すように角度を持った表面でなければならない。また、マウスがリモコンとして使用される場合、ユーザーはマウスが従来のリモコンに類似した扁平外形のものを望んでいる。これ以外に、扁平外形が携帯に便利だという利点をも提供している。
【０００６】
上記の二種類の機能が操作し易いか否かはマウス外形の厚みによって決まる。詳しく述べると、マウスケースが薄過ぎる場合、ユーザーが卓上でマウスを移動させる際、人間工学にマッチしないのである。人間工学にマッチさせるためにマウスを握り持つ面の角度を大きくしてマウスの高さを高くすると、マウスがリモコンとされる際の握り持った感触が悪いのと同時に、収納スペースも大きくなる。このため以上の問題を解決する新型の変形マウスが必要となる。
【発明の開示】
【発明が解決しようとする課題】
【０００７】
本発明の目的は、接続装置を使用することにより分離したマウスバッテリー室とマウス本体ケースを第一種外形若しくは第二種外形に接合することが出来る分離可能な変形マウスを提供することにある。
【課題を解決するための手段】
【０００８】
本発明は分離式変形マウスを提供し、それは下記のものからなる。カーソル信号発生装置と第一電気伝導部からなる第一ケースであって、前記第一ケースには第一フロントエンド部と第一バックエンド部を設け、前記第一バックエンド部には第一傾斜面を有し、バッテリーを収納する為で、第二電気伝導部を含む第二ケースであって、前記第二ケースには第二フロントエンド部と第二バックエンド部を設け、前記第二フロントエンド部には第二傾斜面を有する。そのうち、前記第一ケースと前記第二ケースは分離式で、前記マウスはさらに前記第一傾斜面に設置する第一接続部と前記第二傾斜面に設置する第二接続部を含み、前記第一接続部と前記第二接続部により前記第一ケースと前記第二ケースを接合する。
【０００９】
好ましい実施例において、前記第一接続部はそれぞれ前記第一傾斜面の両端に位置する２個の金属部と前記２個の金属部の間に位置する凹溝を含み、前記第二接続部はそれぞれ前記第二傾斜面の両端に対応する前記２個の金属部箇所にある２個の磁石と、前記凹溝に対応する箇所にある突起ピンを含む。
【００１０】
別の好ましい実施例において、前記第一接続部はそれぞれ前記第一傾斜面の両端に位置する２個の金属部と、前記２個の金属部の間に位置する長方形の凹溝を含み、前記第二接続部はそれぞれ前記第二傾斜面の両端に対応する前記２個の金属部箇所にある２個の磁石と、前記長方形凹溝に対応する箇所にある長方形の突起ピンを含む。
【００１１】
またある好ましい実施例において、前記第一接続部は長方形の凹溝で、前記第二接続部は長方形のストッパーであり、前記長方形の凹溝の長さは前記長方形のストッパーより長く、前記第二電気伝導部は前記長方形のストッパー上にに位置する。そのうち、前記長方形のストッパーはさらに２箇所の広い部分と一箇所の狭い部分を含み、前記狭い部分は前記２箇所の広い部分の間に位置し、前記長方形の凹溝は２箇所の広い部分と２箇所の狭い部分を含む。
【発明を実施するための最良の形態】
【００１２】
本発明を次に図面により詳細に説明する。
【実施例】
【００１３】
図１は本発明の分離可能な変形マウスの好ましい実施例の外観概略図である。本発明の分離可能な変形マウス１は第一ケース２及び第二ケース３からなる。第一ケース２はカーソル信号発生装置２−１を含み、また第二ケース３はバッテリー３−１をその中に収納するのに用いる。第一ケース２と第二ケース３は二つに分離するケースである。また、カーソル制御装置２−１はコンピュータースクリーンのカーソルを制御する信号を発するのに用いられ、光学センサーや関連回路などがこれに含まれる。カーソル制御装置２−１は従来型に属するため、証明を省略する。
【００１４】
図２は本発明の分離可能な変形マウスの二種類の外観概略図である。図２Ａのマウス１の第一ケース２と第二ケース３が接合すると扁平外形を呈し、本発明でリモコンとして使用されるのに適合する。また、扁平の外形は収納もし易い。図２Ｂの第一ケース２と第二ケース３を接合すると第一ケース２と第二ケース３の境い目に突起部Ａを形成し、ユーザーの掌がこの突起部Ａに置かれると、ちょうど人間工学にマッチした握り持ち角度となるので、この外形は本発明がマウスとして使用されるのに適している。
【００１５】
図３Ａ、Ｂは本発明における第一の好ましい実施例の概略図である。図３Ａ、Ｂは分離可能な変形マウス４を表示しており、それは第一ケース５及び第二ケース６からなる。第一ケース５には第一フロントエンド部７と第一バックエンド部８が有り、前記第一バックエンド部８には第一傾斜面１０、第一電気伝導部Ｂ１、Ｂ２及び第一傾斜面１０上に設けられた第一接続部１２が有る。第二ケース６には第二フロントエンド部９と第二バックエンド部１０が有り、そのうち第二フロントエンド部９には第二傾斜面１１、第二電気伝導部Ｃ及び第二接続部１３が有る。
【００１６】
第一ケース５に位置する第一傾斜面１０の第一接続部１２はそれぞれ第一傾斜面１０の両端に位置する二個の金属部１２−１、１２−２を含み、また凹溝１２−３は前記二個の金属部１２−１、１２−２の間に位置する。第二ケース６の第二傾斜面１１の第二接続部１３はそれぞれ第二傾斜面１１の両端に位置し、前記二個の金属部１２−１、１２−２の箇所に対応する二個の磁石１３−１、１３−２を含み、また突起ピン１３−３は前記凹溝１２−３に対応する箇所に位置する。
【００１７】
第二ケース６の二個の磁石１３−１、１３−２はそれぞれ第一ケース５の二個の金属部１２−１、１２−２に吸着でき、第二ケース６の突起ピン１３−３は第一ケース５の凹溝１２−３内に挿入することで、第一ケース５と第二ケース６は一つに接合できる。このほか、第一ケース５の第一電気伝導部Ｂ１と第二ケース６の第二電気伝導部Ｃもこれによって接触し、第二ケース６内のバッテリー（本図面ではバッテリー未表示）は第一ケース５内の回路使用に電気を供給する。この方式で接合すると図２Ｂで示す外形になり、即ち、第一ケース５の第一傾斜面１０と第二ケース６の第二傾斜面１１の接合箇所に図２Ｂのような突起部Ａを形成し、ユーザーは掌を前記突起部Ａの上に置いてマウス機能の操作を行なうことができる。マウス４を扁平状に変えると、第二ケース６を１８０度反転させるだけで、第二ケース６の磁石１３−１を第一ケース５の金属１２−２に吸着させ、また第二ケース６の磁石１３−２を第一ケース５の金属１２−１に吸着させ、さらに第二ケース６の突起ピン１３−３も同様に第一ケース５の凹溝１２−３内に挿入され、且つこの時第一電気伝導部Ｂ２と第二電気伝導部Ｃが接触する。マウス４が当該方式で接合されると、第一ケース５と第二ケース６はマウス４を図２Ａで示す様な扁平の外形とし、リモコンとして使用するのに適する。当然ながら、マウス４が扁平外形に設定されていない状況でリモコン機能を有する場合、扁平外形の状況では電源を第一ケース５に供給する必要が無いので、第一ケース５には第一電気伝導部Ｂ２を設置する必要が無い。
【００１８】
図４Ａ、Ｂは本発明における第二の好ましい実施例の概略図である。図４と図３の違いは接続部の構造の違いにある。図４Ａのマウス４は第一ケース１５及び第二ケース１６からなる。第一ケース１５には第一傾斜面１７が有り、第二ケース１６には第二傾斜面１８が有る。第一傾斜面１７には第一接続部１９及び第一電気伝導部Ｄ１、Ｄ２を設け、また第二傾斜面には第二接続部２０及び第二電気伝導部Ｅを設置する。第一接続部１９は二個の金属部１９−１、１９−２及び長方形凹溝１９−３からなる。第二接続部２０は二個の磁石２０−１、２０−２及び長方形突起ピン２０−３からなる。
【００１９】
図４Ａ、Ｂの実施例の第一ケース１５と第二ケース１６の接続方式は下記の通りである。まず、第二ケース１６を９０度回転させて、第二ケース１６の長方形突起ピン２０−３の長辺と第一ケース１５の長方形凹溝１９−３の長辺とを揃えるので、第二ケース１６の長方形突起ピン２０−３は第一ケース１５の長方形凹溝１９−３内に挿入される。続いて第二ケース１６を９０度逆回転させると（即ち、回転前の位置に戻す）、第一ケース１５の二個の金属部１９−１、１９−２はそれぞれ第二ケース１６の二個の磁石２０−１、２０−２に吸着し、且つ第一電気伝導部Ｄ１と第二電気伝導部Ｅも相互に接触する。この時、長方形突起ピン２０−３の長辺と長方形凹溝１９−３の長辺とが垂直になり、さらに第二ケース１６を第一ケース１５から離脱し得ない。この方式でマウス１４は図２Ｂに示す様な外形を有する。第二ケース１６を再度９０度回転させると（即ち、合計１８０度回転する）、第一ケース１５の二個の金属部１９−１、１９−２はそれぞれ第二ケース１６の二個の磁石２０−１、２０−２に吸着し、また第一電気伝導部Ｄ２と第二電気伝導部Ｅを接触させると共に、扁平の外形を形成する。当然ながら、マウス１４が扁平外形に設定されていない状況でリモコン機能を有する場合、扁平外形の状況では電源を第一ケース１５に供給する必要が無いので、第一ケース１５には第一電気伝導部Ｄ２を設置する必要が無い。
【００２０】
図５Ａ、Ｂは本発明における第三の好ましい実施例の概略図である。図５と図２、３の違いもまた接続部の構造の違いにある。図５のマウス２１は第一ケース２２及び第二ケース２３からなる。第一ケース２２には第一傾斜面２４が有り、第二ケース２３には第二傾斜面２５が有る。第一傾斜面２４には第一接続部２６を設け、また第二傾斜面２５には第二接続部２７を設置する。第一接続部２６は長方形凹溝で、二箇所の広い部分２６−１、２６−２及び二箇所の狭い部分２６−３、２６−４を含む。第二接続部２７は長方形のストッパーであって、且つ二箇所の広い部分２７−１、２７−２及び狭い部分２７−３を含む。そのうち、広い部分２７−２上には電気伝導部Ｆを設置する。本実施例において、第一ケース２２の電気伝導部は第一ケース２２内に設置するので、図面では表示されていない。
【００２１】
以下、図５の実施例における接合方式を説明する。第二ケース２３の長方形ストッパー２７の二箇所の広い部分２７−１、２７−２及び狭い部分２７−３をそれぞれ長方形凹溝２６の二箇所の広い部分２６−１、２６−２及び狭い部分２６−３と揃えるので、長方形のストッパー２７は長方形凹溝２６内に挿入される。そして第二ケース２３をＲ１方向に移動させると、長方形のストッパー２７の二箇所の広い部分２７−１、２７−２と長方形凹溝２６の狭い部分２６−３、２６−４を揃える。長方形のストッパー２７の二箇所の広い部分２７−１、２７−２の幅が長方形凹溝２６の狭い部分２６−３、２６−４よりも広いので、第二ケース２３と第一ケース２２を接合することが出来る。この時、マウス２１は図２Ｂの様に突起部のある形状を呈する。
【００２２】
マウス２１を扁平状にしようとすれば、第二ケース２３をＲ２方向に移動さと、長方形のストッパー２７の二箇所の広い部分２７−１、２７−２と長方形凹溝２６の二箇所の広い部分２６−１、２６−２が揃えられ、第二ケース２３を第一ケース２２から離すことができる。続いて、第二ケース２３を１８０度回転させ、さらに長方形のストッパー２７の二箇所の広い部分２７−１、２７−２をそれぞれ長方形凹溝２６の広い部分２６−１と２６−２に揃えて挿入し、第二ケース２３をＲ１方向に移動させ、長方形のストッパー２７の二箇所の広い部分２７−１、２７−２をそれぞれ長方形凹溝２６の狭い部分２６−３と２６−４に固定させる。
【００２３】
換言すると、第一ケースと第二ケースは傾斜面を両者の接触面として、第二ケースは第一ケースに対して回転するので、本発明のマウスは薄型の外形を具備するだけでなく、また同時にマウスを操作する際の人間工学のニーズにも合致し得る。
【００２４】
上記内容は本発明の好ましい実施例に過ぎず、本発明の特許申請範囲を限定するものではないため、本発明で開示した趣旨を逸脱しないで完成された等価変更若しくは補正は、全て本案における特許申請の範囲内に含まれるものとする。
【図面の簡単な説明】
【００２５】
【図１】本発明のマウスの外観図である。
【図２】本発明のマウスの扁平外観及び突起外観の概略図である。
【図３】本発明のマウスの第一実施例の概略図である。
【図４】本発明のマウスの第二実施例の概略図である。
【図５】本発明のマウスの第三実施例の概略図である。
【符号の説明】
【００２６】
１、４、１４、２１    変形マウス
２、５、１５、２２    第一ケース
３、６、１６、２３    第二ケース
７  第一フロントエンド部
８  第一バックエンド部
９  第二フロントエンド部
１０、１７、２４  第一傾斜面
１１、１８、２５  第二傾斜面
１２、１９、２６  第一接続部
１３、２０、２７  第二接続部
Ｂ１、Ｂ２、Ｄ１、Ｄ２  第一電気伝導部
Ｃ、Ｅ、Ｆ  第二電気伝導部
【図１】
2008226220.tif 000003
【図２】
2008226220.tif 000004
【図３】
2008226220.tif 000005
【図４】
2008226220.tif 000006
【図５】
2008226220.tif 000007